(57)【特許請求の範囲】
【請求項１】
メソポーラスシリカを主成分とする、α−アミノニトリルの製造触媒。
【請求項２】
メソポーラスシリカがアルミニウムを含有することを特徴とする請求項１に記載のα−アミノニトリルの製造触媒。
【請求項３】
アルミニウムを含有するメソポーラスシリカが2〜10nmの規則性細孔を有するものであることを特徴とする請求項１または２に記載のα−アミノニトリルの製造触媒。
【請求項４】
アルミニウムを含有するメソポーラスシリカに含まれるケイ素とアルミニウムのモル比Si/Alが1〜100であることを特徴とする請求項１〜３のいずれかに記載の触媒。
【請求項５】
有機カルボニル化合物及びアミン化合物とシアン化トリアルキルシリル化合物を、請求項１〜４のいずれかに記載の触媒の存在下で反応させることを特徴とするα−アミノニトリル化合物の製造方法。
【請求項６】
前記有機カルボニル化合物が、一般式（１）
【化１】
0005182868.tif 000013
（式中、R1は、置換基を有してもよい、鎖状アルキル基、環状アルキル基、アルケニル基、アルキニル基、アリール基またはヘテロ環；R2は水素、置換基を有してもよい、アルキル基、アリール基またはヘテロ環を示す。ただしR1とR2は互いに結合して環を形成していてもよい）
で示される化合物であることを特徴とする請求項５に記載のα−アミノニトリル化合物の製造方法。
【請求項７】
アミン化合物が、一般式（２）
【化２】
0005182868.tif 000014
（式中、R3，R4は、水素、置換基を有してもよい、鎖状アルキル基、環状アルキル基、アルケニル基、アルキニル基、アリール基またはヘテロ環を示す。ただしR3とR4は互いに結合して環を形成していてもよい）
で示される化合物であることを特徴とする請求項５に記載のα−アミノニトリル化合物の製造方法。
【請求項８】
シアン化トリアルキルシリル化合物が、一般式（３）
【化３】
0005182868.tif 000015
（式中、R5，R6，R7は同じであっても互いに異なっていてもよい、置換基を有してもよいアルキル基またはアリール基を示す）
で示される化合物であることを特徴とする請求項５に記載のα−アミノニトリル化合物の製造方法。
【発明の詳細な説明】
【技術分野】
【０００１】
本発明は、新規なα−アミノニトリル化合物の製造触媒及びこれを用いるα−アミノニトリル化合物の製造方法に関する。
【背景技術】
【０００２】
α−アミノニトリル化合物は、α−アミノ酸類や１，２−ジアミン類、含窒素複素環化合物など、医薬、農薬、有機材料などの分野における重要な合成中間体として有用なものである。
【０００３】
従来、α−アミノニトリル化合物の製造方法としては、たとえば、ルイス酸などの均一系触媒の存在下、有機カルボニル化合物及びアミン化合物とシアン化トリアルキルシリル化合物を反応させる、所謂ストレッカー型反応により製造できることが知られている。たとえば、イッテルビウムトリフラート（特許文献１）、ガリウムトリフラート（非特許文献１）などがあげられる。
しかしながら、一般に、このような均一系触媒は、触媒の分離・回収が困難であるといった欠点があった。
【０００４】
このような問題点を解消するために、たとえば、モンモリロナイトKSF（非特許文献２）、硫酸シリカゲル（非特許文献３）、ヘテロポリ酸（非特許文献４）などの触媒の分離・回収が容易な、固体触媒を用いるストレッカー型反応や触媒を用いないストレッカー型反応（非特許文献５）も報告されているが、いずれも基質である有機カルボニル化合物がアルデヒド類に限られ、ケトン類を出発物質として用いることができない。
【０００５】
【特許文献１】特開平１１−２１２７５号
【非特許文献１】Proc. Natl. Acad. Sci. U.S.A., 2007, 104, p3703-3706
【非特許文献２】Tetrahedron, 2004, 60, p1767-1771
【非特許文献３】Synlett, 2005, p2293-2296
【非特許文献４】Synlett, 2006, p1768-1770
【非特許文献５】Tetrahedron Lett., 2005, 46, p8471-8474
【発明の開示】
【発明が解決しようとする課題】
【０００６】
本発明は、このような実情に鑑みなされたものであり、原料の選択自由度が拡がり、高い触媒活性を有し、かつ分離・回収が容易な新規なストレッカー型反応用固体触媒を提供すること、及びこの触媒を用いてα−アミノニトリル化合物を高収率かつ簡便に製造する方法を提供することを目的とする。
【課題を解決するための手段】
【０００７】
本発明者らは上記の課題を解決すべく鋭意研究を行った結果、有機カルボニル化合物及びアミン化合物とシアン化トリアルキルシリル化合物とを反応させてα−アミノニトリル化合物を製造するにあたり、メソポーラスシリカまたはシリカアルミナが極めて高活性な固体触媒として機能することを見出した。本発明は上記の知見を基にして完成されたものである。
すなわち、この出願によれば、以下の発明が提供される。
〈１〉メソポーラスシリカまたはシリカアルミナを主成分とする、α−アミノニトリルの製造触媒。
〈２〉メソポーラスシリカがアルミニウムを含有することを特徴とする〈１〉に記載のα−アミノニトリルの製造触媒。
〈３〉アルミニウムを含有するメソポーラスシリカが1〜20 nmの規則性細孔を有するものであることを特徴とする〈１〉または〈２〉に記載のα−アミノニトリルの製造触媒。
〈４〉アルミニウムを含有するメソポーラスシリカまたはシリカアルミナに含まれるケイ素とアルミニウムのモル比Si/Alが1〜100であることを特徴とする〈１〉〜〈３〉のいずれかに記載のα−アミノニトリルの製造触媒。
〈５〉有機カルボニル化合物及びアミン化合物とシアン化トリアルキルシリル化合物とを、〈１〉〜〈４〉のいずれかに記載のα−アミノニトリルの製造触媒の存在下で反応させることを特徴とするα−アミノニトリル化合物の製造方法。
〈６〉前記有機カルボニル化合物が、一般式（１）
【化１】
0005182868.tif 000002
（式中、R1は、置換基を有してもよい、鎖状アルキル基、環状アルキル基、アルケニル基、アルキニル基、アリール基またはヘテロ環；R2は水素、置換基を有してもよい、アルキル基、アリール基またはヘテロ環を示す。ただしR1とR2は互いに結合して環を形成していてもよい）
で示される化合物であることを特徴とする〈５〉に記載のα−アミノニトリル化合物の製造方法。
〈７〉アミン化合物が、一般式（２）
【化２】
0005182868.tif 000003
（式中、R3, R4は、水素、置換基を有してもよい、鎖状アルキル基、環状アルキル基、アルケニル基、アルキニル基、アリール基またはヘテロ環を示す。ただしR3とR4は互いに結合して環を形成していてもよい）
で示される化合物であることを特徴とする〈５〉に記載のα−アミノニトリル化合物の製造方法。
〈８〉シアン化トリアルキルシリル化合物が、一般式（３）
【化３】
0005182868.tif 000004
（式中、R5, R6, R7は同じであっても互いに異なっていてもよい、置換基を有してもよいアルキル基またはアリール基を示す）
で示される化合物であることを特徴とする〈５〉に記載のα−アミノニトリル化合物の製造方法。
【発明の効果】
【０００８】
本発明によれば、有機カルボニル化合物として、アルデヒド類だけでなくケトン類を用いてもストレッカー型反応により、α−アミノニトリル化合物を効率的に製造することができ、該反応における原料の選択自由度が大幅に拡がる。また、本発明方法は、安価な原料から簡便に調製でき、かつ回収再利用が可能な固体触媒を用いるという点で反応原価の観点で有利であり、さらに、穏和な条件下、短時間かつ高収率でα−アミノニトリル化合物を得ることができ、しかも反応副生物がなく反応後の処理が極めて容易であるという優れた特徴を有する。
【発明を実施するための最良の形態】
【０００９】
本発明のα−アミノニトリルの製造触媒は、メソポーラスシリカまたはシリカアルミナを主成分とすることを特徴とする。
ここで、メソポーラスシリカとは、一般に界面活性剤を鋳型として調製される、細孔径分布の小さい均一な大きさのメソ細孔が空間的に規則正しく配列したシリカである。
また、シリカアルミナとは、ケイ素とアルミニウムを主成分とする複合酸化物であり、結晶性のものであっても、非晶質のものであってもよい。前者の例としては、A型、X型、Y型、MFI型、MOR型、ベータ型などのゼオライトが、後者の例としては、所謂アモルファスシリカアルミナが例示される。
【００１０】
メソポーラスシリカが有する規則性細孔の平均細孔径は、1〜20 nmが好ましく、2〜10 nmがより好ましい。
本発明においては、メソポーシリカには、アルミニウムが含有されていてもよい。アルミニウムの含有形態としては、アルミニウムがシリカ骨格内に４配位の状態で存在することが好ましいが、アルミニウムの一部がシリカ骨格外に存在していてもよい。
メソポーラスシリカは、その規則構造に特に制限はなく、MCM-41やSBA-15に代表される2d六方構造を有するものでもよく、MCM-48やSBA-16に代表される立方構造を有するものでもよい。アルミニウムを含有するメソポーラスシリカを用いる場合には、それに含有されるケイ素とアルミニウムのモル比Si/Alは、1〜100が好ましく、10〜50がより好ましい。また、シリカアルミナを用いる場合にもの、それに含有されるケイ素とアルミニウムのモル比Si/Alは、1〜100が好ましく、1〜50がより好ましい。
【００１１】
本発明で好ましく使用されるアルミニウムを含有するメソポーラスシリカとして、入手容易なものとしては、たとえば、J. Chem. Soc., Chem. Commun., 1995, p711-712やMicropor. Mesopor. Mater.,2000, 34, p43-54に記載されているような、アルキルトリメチルアンモニウムからなる界面活性剤の集合体をテンプレートとして用い、水熱合成によって得られるアルミニウム含有メソポーラスシリカ（Al-MCM-41）等があげられるが、上述したように、アルミニウムを含有したメソポーラスシリカであれば、その原料、合成方法や規則構造、対カチオンに特に制限を受けるものではない。
【００１２】
また、本発明のα−アミノニトリルの製造触媒の形態に特に制限はないが、通常は微粉状、あるいは粒子状である。
【００１３】
本発明のα−アミノニトリル化合物の製造方法は、上述したα−アミノニトリルの製造触媒の存在下、有機カルボニル化合物及びアミン化合物とシアン化トリアルキルシリル化合物を反応させることを特徴とする。
【００１４】
有機カルボニル化合物としては、特に制約されないが、好ましくは、下記一般式（１）
【化１】
0005182868.tif 000005
（式中、R1は、置換基を有してもよい、鎖状アルキル基、環状アルキル基、アルケニル基、アルキニル基、アリール基またはヘテロ環；R2は水素、置換基を有してもよい、アルキル基、アリール基またはヘテロ環を示す。ただしR1とR2は互いに結合して環を形成していてもよい）で表される有機カルボニル化合物が用いられる。
【００１５】
一般式（１）で示される有機カルボニル化合物としては、たとえば、アセトアルデヒド、プロピオンアルデヒド、ブチルアルデヒド、バレロアルデヒド、カプロンアルデヒド、エナントアルデヒド、カプリルアルデヒド、ペラルゴンアルデヒド、カプリンアルデヒド、ピバルアルデヒド、シクロヘキサンカルボアルデヒドなどの脂肪族アルデヒド及びそれらの各種置換体、ベンズアルデヒド、トルアルデヒド、クミンアルデヒド、アニスアルデヒド、ナフトアルデヒド、フルフラール、チオフェンアルデヒドなどの芳香族アルデヒド及びそれらの各種置換体、アクロレイン、クロトンアルデヒド、シンナムアルデヒドなどの不飽和アルデヒド及びそれらの置換体、アセトン、メチルエチルケトン、ジエチルケトン、メチルプロピルケトン、ジブチルケトン、シクロヘキシルメチルケトン、ジイソプロピルケトン、ベンジルアセトンなどの脂肪族ケトン及びそれらの各種置換体、シクロペンタノン、シクロヘキサノン、シクロヘプタノン、シクロオクタノンなどの環状ケトン及びそれらの各種置換体、アセトフェノン、プロピオフェノン、ブチロフェノン、バレロフェノン、ピバロフェノン、カプロフェノン、カプリロフェノン、カプリフェノン、アセトナフトン、ベンゾフェノンなどの芳香族ケトン及びそれらの各種置換体、シクロへキセノン、ベンザルアセトン、カルコンなどの不飽和ケトン及びそれらの各種置換体が例示される。
【００１６】
アミン化合物としては、特に制約されないが、好ましくは、下記一般式（２）
【化２】
0005182868.tif 000006
（式中、R3, R4は、水素、置換基を有してもよい、鎖状アルキル基、環状アルキル基、アルケニル基、アルキニル基、アリール基またはヘテロ環を示す。ただしR3とR4は互いに結合して環を形成していてもよい）で表されるアミン化合物が用いられる。
【００１７】
一般式（２）で示されるアミン化合物としては、たとえば、メチルアミン、エチルアミン、プロピルアミン、ブチルアミン、アリルアミン、ベンジルアミン、シクロヘキシルアミン、アニリン、トルイジン、アニシジンなどの第一級アミン及びそれらの各種置換体、ジメチルアミン、ジエチルアミン、ジプロピルアミン、ジブチルアミン、ジアリルアミン、ジベンジルアミン、ベンジルメチルアミン、ベンジルエチルアミン、フェニルメチルアミン、フェニルエチルアミンなどの第二級アミン及びそれらの各種置換体、アジリジン、アゼチジン、ピロリジン、ピペリジン、アゼパン、アゾカン、ジアゼチジン、イミダゾリジン、ピペラジン、ジアゼパン、ジアゾカン、トリアジナン、トリアゼパン、トリアゾカン、モルホリンなどの環状アミン及びそれらの各種置換体、アンモニアが例示される。
【００１８】
また、他方の原料であるシアン化トリアルキルシリル化合物としては、特に制約されないが、好ましくは、下記一般式（３）
【化３】
0005182868.tif 000007
（式中、R5, R6, R7は同じであっても互いに異なっていてもよい、置換基を有してもよいアルキル基またはアリール基を示す）で示される化合物が用いられる。
【００１９】
一般式（３）で示されるシアン化トリアルキルシリル化合物としては、たとえば、シアン化トリメチルシリル、シアン化トリエチルシリル、シアン化トリイソプロピルシリル、シアン化ジメチルイソプロピルシリル、シアン化ジエチルイソプロピルシリル、シアン化tert-ブチルジメチルシリル、シアン化tert-ブチルジフェニルシリルが例示される。
【００２０】
一般式（１）で表される有機カルボニル化合物及び一般式（２）で示されるアミン化合物と一般式（３）で示されるシアン化トリアルキルシリル化合物とを反応させると下記の合成反応式（５）に示されるように、一般式（４）
【化４】
0005182868.tif 000008
（式中、R1, R2, R3, R4は前記と同じ）で表されるα−アミノニトリル化合物が得られる。
【００２１】
すなわち、本発明の方法は一般式（５）
【化５】
0005182868.tif 000009
（式中、R1, R2, R3, R4, R5, R6, R7は前記と同じ）で表すことができる。
【００２２】
この一般式（５）で示されるα−アミノニトリル化合物は、α−アミノ酸類、１，２−ジアミン類などの合成中間体として有用なものである。たとえば、この化合物を酸加水分解することによりα−アミノ酸類が得られる。また、α−アミノニトリル化合物に水素化リチウムアルミニウムを反応させることにより１，２−ジアミン類が得られる。
【００２３】
本発明のα−アミノニトリルの合成反応を具体的に実施するには、たとえば、α−アミノニトリルの製造触媒を入れた容器に、カルボニル化合物及びアミン化合物とシアン化トリアルキルシリル化合物とを加えて攪拌することにより、反応させればよい。ここで、α−アミノニトリルの製造触媒はあらかじめ有機溶媒に懸濁させて用いてもよく、また、カルボニル化合物及びアミン化合物とシアン化トリアルキルシリル化合物は有機溶媒に溶解して加えてもよい。
【００２４】
反応系内に添加するα−アミノニトリルの製造触媒の添加量は特に制限はないが、有機カルボニル化合物に対して0.1〜100重量％の範囲が好ましく、5〜50重量％がより好ましい。有機カルボニル化合物とアミン化合物の割合は特に限定されないが、例えば、カルボニル化合物１モルに対して0.5〜数モル、好ましくは１〜1.5モルのアミンを用いることができる。有機カルボニル化合物とシアン化トリアルキルシリル化合物の割合は特に限定されないが、例えば、カルボニル化合物１モルに対して0.5〜数モル、好ましくは１〜1.5モルのシアン化トリアルキルシリルを用いることができる。
【００２５】
また、α−アミノニトリルの合成反応は、アルゴンなどの不活性雰囲気下、常圧で行うのが好ましい。また、このα−アミノニトリルの合成反応は、無溶媒であっても溶媒中であっても進行する。反応溶媒としては、反応に関与しないものであれば特に制限はないが、トルエン、キシレンなどの芳香族炭化水素類、塩化メチレン、クロロホルムなどのハロゲン含有炭化水素類が好ましい。反応温度は特に限定されないが、室温で十分に反応が進行する。必要に応じて加温下または氷冷下で反応を行うことも可能である。反応時間は特に制限はないが、通常数時間〜24時間程度である。
【実施例】
【００２６】
以下、本発明を実施例によりさらに具体的に説明するが、本発明は以下の実施例に限定されるものではない。
【００２７】
［参考例１］
（アルミニウムを含有したメソポーラスシリカ（Al-MCM-41, Si/Al = 20）の合成）
臭化ヘキサデシルトリメチルアンモニウム（15.1 g）、アルミン酸ナトリウム（1.14 g）、アンモニア水（1 mL）及び蒸留水（100 mL）の混合溶液に、水酸化ナトリウム（3.1 g）、コロイダルシリカ（56.3 g）及び蒸留水（135 mL）の混合溶液を加え、97 ℃で１日攪拌した。室温に冷却後、酢酸水溶液を用いて、pHを10.2に調整した。加熱、pH調整の操作は、さらに２回繰り返した。97 ℃で１日攪拌後、生じた白色の固体を回収し、蒸留水で洗浄した。乾燥後、空気中550 ℃で焼成し、Al-MCM-41（Si/Al = 20）を得た。元素分析より、該Al-MCM-41の組成は、ケイ素：42.5 wt%, アルミニウム：1.8 wt%, ナトリウム：0.2 wt%であった。また、該Al-MCM-41の窒素吸着法から求めた比表面積は969 m2/g、細孔容量は1.14 cm3/g、平均細孔径は2.7 nmであった。
【００２８】
［参考例２］
（アルミニウムの含有量の異なるメソポーラスシリカ（Al-MCM-41, Si/Al = 50）の合成）
参考例１と同様な操作により、アルミン酸ナトリウムの量を変えることによりAl-MCM-41（Si/Al = 50）を得た。元素分析より、該Al-MCM-41の組成は、ケイ素：44.4 wt%, アルミニウム：0.7 wt%, ナトリウム：0.1 wt%であった。また、該Al-MCM-41の窒素吸着法から求めた比表面積は1039 m2/g、細孔容量は1.06 cm3/g、平均細孔径は2.9 nmであった。
【００２９】
［参考例３］
（アルミニウムの含有量の異なるメソポーラスシリカ（Al-MCM-41, Si/Al = 100）の合成）
参考例１と同様な操作により、アルミン酸ナトリウムの量を変えることによりAl-MCM-41（Si/Al = 100）を得た。元素分析より、該Al-MCM-41の組成は、ケイ素：43.9 wt%, アルミニウム：0.4 wt%, ナトリウム：0.0 wt%であった。また、該Al-MCM-41の窒素吸着法から求めた比表面積は1032 m2/g、細孔容量は1.05 cm3/g、平均細孔径は2.8 nmであった。
【００３０】
［参考例４］
（アルミニウムを含有しないメソポーラスシリカ（MCM-41）の合成）
アルミニウム源であるアルミン酸ナトリウムを加えずに、参考例１と同様な操作により、MCM-41を得た。該MCM-41の窒素吸着法から求めた比表面積は1056 m2/g、細孔容量は1.06 cm3/g、平均細孔径は2.7 nmであった。
【００３１】
［参考例５］
（規則性細孔を有しないアモルファスのシリカアルミナ（Si/Al = 20）の合成）
界面活性剤である臭化ヘキサデシルトリメチルアンモニウムを加えずに、参考例１と同様な操作により、シリカアルミナを得た。該シリカアルミナの窒素吸着法から求めた比表面積は157 m2/g、細孔容量は1.21 cm3/gであった。
【００３２】
［参考例６］
（H-Yの調製）
市販のY型ゼオライト（東ソー株式会社製、HSZ-320NAA、比表面積：870 m2/g、細孔容量：0.36 cm3/g）を塩化アンモニウム水溶液でイオン交換後、550 ℃で焼成し、H-Yを得た。
【００３３】
［実施例１〜４、参考例７〜８、比較例１〜２］
（触媒活性の比較）
触媒として参考例１〜３で合成したAl-MCM-41（実施例１〜３）、参考例４で合成したMCM-41（実施例４）、参考例５で合成した規則性細孔を有さないアモルファスのシリカアルミナ（参考例７）、参考例６で合成したH-Y（参考例８）、及び市販のシリカ（富士シリシア化学株式会社製、Q-10、比表面積：263m2/g、細孔容量：1.2cm3/g）（比較例１）を用いて、触媒活性の比較を行った。
【００３４】
すなわち、テフロン（登録商標）でコートされた攪拌子を入れたガラス製シュレンクフラスコに、参考例１で合成したAl-MCM-41（50 mg）を加え、減圧下、120 ℃で１時間乾燥させた。室温に冷却した後、アルゴン雰囲気とし、ベンジルアセトン（148 mg, 1.0 mmol）の塩化メチレン（2 mL）溶液とアニリン（0.11 mL, 1.2 mmol）を加えた。引き続きシアン化トリメチルシリル（0.16 mL, 1.2 mmol）を加え、室温で24時間攪拌した。触媒をろ別した後、溶媒を減圧下留去し、目的物であるα−アミノニトリル（２−メチル−２−フェニルアミノ−４−フェニルブタンニトリル）の収率を内部標準１，１，２，２−テトラクロロエタンを用いてプロトン核磁気共鳴法（NMR）により分析した（実施例１）。
【００３５】
また、参考例２で合成したAl-MCM-41（実施例２）、参考例３で合成したAl-MCM-41（実施例３）、参考例４で合成したMCM-41（実施例４）、参考例５で合成した規則性細孔を有さないシリカアルミナ（参考例７）、H-Y（参考例８）、及び市販のシリカ（比較例１）を用い、同様な操作により、触媒活性を比較した。また、触媒を用いずに同様な反応を行った（比較例１）。それらの収率を表１に示す。
【００３６】
【表１】
0005182868.tif 000010
【００３７】
実施例1〜４と比較例１の結果から、α−アミノニトリルの製造触媒としては、規則性細孔を有することが重要であることが分かる。また、参考例７及び８と比較例１の結果から、α−アミノニトリルの製造触媒には、アルミニウムを含むことが必要であることが分かる。すなわち、本発明のα−アミノニトリルの製造触媒は、規則性細孔を有するアルミニウムを含んでいてもよいメソポーラスシリカまたはシリカアルミナであることで、高い触媒活性を発現していることが示唆される。
【００３８】
［実施例７〜１４］
実施例１の方法と同様にして、下記の表２に示す各種有機カルボニル化合物及びアミン化合物を用いてα−アミノニトリル化合物の合成を行った。その結果、いずれの場合においても、収率良く目的とするα−アミノニトリル化合物が得られた。また、実施例１及び７〜９の結果から、本発明のα−アミノニトリルの製造触媒は、従来法では困難であったケトンに対しても、非常に高い触媒活性を有することが示唆される。
【００３９】
【表２】
0005182868.tif 000011
0005182868.tif 000012
【産業上の利用可能性】
【００４０】
本発明は、例えば、α−アミノ酸類、１，２−ジアミン類、含窒素複素環化合物などへ誘導できる合成中間体（α−アミノニトリル化合物）の製造方法として極めて有効に利用できるものである。